(57)【要約】【課題】上下の棚板を利用して前面に移動ボードを設けてなる収納棚における移動ボード装置であって、移動ボードの横方向スライド移動が安定であるとともに、掲示板等としての使用状態においても前後に振れることがない収納棚における移動ボード装置を提供する。【解決手段】各棚板７の下面で前縁に沿って設けた支持レール２８に、移動ボードＢの裏面の上端両側部に吊支部材５２を介して設けたガイドローラ５３を転動可能又はスライダーを摺動可能に載支するとともに、移動ボードの裏面の下端に設けた支持部材５８を下方の何れかの棚板の下面前縁部に横方向スライド可能に係止してなる。支持レール２８は、吊支部材の立上片５６が通過する開口溝５９の両側に、立上片の前後両側に設けたガイドローラが転動可能なように前後一対設けられ、支持部材を前方の支持レールであって開口溝内の縁部に係止する。【選択図】        図５
2008119395.tif 000002
【特許請求の範囲】
【請求項１】
上下の棚板を利用して前面に移動ボードを設けてなる収納棚における移動ボード装置であって、前記各棚板の下面で前縁に沿って設けた支持レールに、移動ボードの裏面の上端両側部に吊支部材を介して設けたガイドローラを転動可能又はスライダーを摺動可能に載支するとともに、該移動ボードの裏面の下端に設けた支持部材を下方の何れかの棚板の下面前縁部に横方向スライド可能に係止してなることを特徴する収納棚における移動ボード装置。
【請求項２】
前記支持レールは、前記吊支部材の立上片が通過する開口溝の両側に、前記立上片の前後両側に設けたガイドローラが転動可能なように又はスライダーを摺動可能なように前後一対設けられ、前記支持部材を前方の支持レールであって前記開口溝内の縁部に横方向スライド可能に係止してなる請求項１記載の収納棚における移動ボード装置。
【請求項３】
前記支持部材は、合成樹脂製で成形し、前記移動ボードの裏面の下端に取付ける取付板と、該取付板の下縁から後方へ断面略Ｌ字状に延設した係止片とからなり、前記取付板を下方の棚板の前面に摺接するとともに、前記係止片を前方の前記支持レールに横方向スライド可能に係止してなる請求項２記載の収納棚における移動ボード装置。
【請求項４】
前記支持レールに前記ガイドローラを転動可能に載支した状態で、前記移動ボードの上端裏面と前記棚板の前面との間隔より前記支持部材の取付板の厚さを薄く設定し、上下の移動ボードを横方向に引き違い可能とした請求項３記載の収納棚における移動ボード装置。
【発明の詳細な説明】
【技術分野】
【０００１】
本発明は、収納棚における移動ボード装置に係わり、更に詳しくは支柱にブラケットを介して上下多段に設けた上下棚板間に横方向移動可能に移動ボードを設けた収納棚における移動ボード装置に関するものである。
【背景技術】
【０００２】
従来から、書棚の棚板前面にパネルを設けた構造は提供されているが、その多くは書棚前面に設けたパネルに書棚内部に収納し難い、薄い雑誌、新聞、パンフレットを収容することが目的であり、書棚内の収納物の遮蔽を目的とはしていない（特許文献１、２参照）。
【０００３】
また、特許文献１に記載のように、パネルの上端を単に横方向スライド可能に支持した構造では、該パネルが前後に振れて安定しないので、該パネルの前面を掲示板として使用することは難しい。
【０００４】
尚、パネルの上端を上段の棚板にスライド可能に支持し、パネルの下端を下段の棚板の前面等に当止する場合にも、後方への支持は行えるが、前方への振れは防止できないので、例えばパネルを掲示板やピンナップボードとして使用する場合に、パネルに吸着したマグネットやパネルに刺さったピンを手前に引いて外す場合に、パネルが前方へ変位するので、片方の手でパネルを押えなければならず、使用勝手が悪いものになる。
【特許文献１】実公平２−３２１０３号公報
【特許文献２】特開平２−３１７０６号公報
【発明の開示】
【発明が解決しようとする課題】
【０００５】
そこで、本発明が前述の状況に鑑み、解決しようとするところは、上下の棚板を利用して前面に移動ボードを設けてなる収納棚における移動ボード装置であって、移動ボードの横方向スライド移動が安定であるとともに、掲示板等としての使用状態においても前後に振れることがない収納棚における移動ボード装置を提供する点にある。
【課題を解決するための手段】
【０００６】
本発明は、前述の課題解決のために、上下の棚板を利用して前面に移動ボードを設けてなる収納棚における移動ボード装置であって、前記各棚板の下面で前縁に沿って設けた支持レールに、移動ボードの裏面の上端両側部に吊支部材を介して設けたガイドローラを転動可能又はスライダーを摺動可能に載支するとともに、該移動ボードの裏面の下端に設けた支持部材を下方の何れかの棚板の下面前縁部に横方向スライド可能に係止してなることを特徴する収納棚における移動ボード装置を構成した（請求項１）。
【０００７】
ここで、前記支持レールは、前記吊支部材の立上片が通過する開口溝の両側に、前記立上片の前後両側に設けたガイドローラが転動可能なように又はスライダーを摺動可能なように前後一対設けられ、前記支持部材を前方の支持レールであって前記開口溝内の縁部に横方向スライド可能に係止してなることが好ましい（請求項２）。
【０００８】
具体的には、前記支持部材は、合成樹脂製で成形し、前記移動ボードの裏面の下端に取付ける取付板と、該取付板の下縁から後方へ断面略Ｌ字状に延設した係止片とからなり、前記取付板を下方の棚板の前面に摺接するとともに、前記係止片を前方の前記支持レールに横方向スライド可能に係止してなることが好ましい（請求項３）。
【０００９】
また、前記支持レールに前記ガイドローラを転動可能に載支した状態で、前記移動ボードの上端裏面と前記棚板の前面との間隔より前記支持部材の取付板の厚さを薄く設定し、上下の移動ボードを横方向に引き違い可能とすることがより好ましい（請求項４）。
【発明の効果】
【００１０】
以上にしてなる請求項１に係る発明の収納棚における移動ボード装置は、収納棚の各棚板の下面で前縁に沿って支持レールを設け、上方の棚板の支持レールに移動ボードの裏面の上端両側部に吊支部材を介して設けたガイドローラを転動可能又はスライダーを摺動可能に載支し、また移動ボードの裏面の下端に設けた支持部材を下方の何れかの棚板の下面前縁部に横方向スライド可能に係止したので、簡単な構造で収納棚の前面側に移動ボードを横方向スライド移動可能に設けることができ、しかも移動ボードは前後方向に振れることがないので、横方向への移動中及び掲示板等として使用中に極めて安定である。
【００１１】
請求項２によれば、前記支持レールは、前記吊支部材の立上片が通過する開口溝の両側に、前記立上片の前後両側に設けたガイドローラが転動可能なように又はスライダーを摺動可能なように前後一対設けられ、前記支持部材を前方の支持レールであって前記開口溝内の縁部に横方向スライド可能に係止してなるので、棚板に特別な構造を付加することなく、支持部材を横方向スライド可能に棚板の下面前縁部に係止することができる。特に、棚板は一般的な板金加工した構造のものを用いることができるので、オプションとして取付けることも可能である。
【００１２】
請求項３によれば、前記支持部材は、合成樹脂製で成形し、前記移動ボードの裏面の下端に取付ける取付板と、該取付板の下縁から後方へ断面略Ｌ字状に延設した係止片とからなり、前記取付板を下方の棚板の前面に摺接するとともに、前記係止片を前方の前記支持レールに横方向スライド可能に係止してなるので、支持部材を余裕空間に設けることができるので、従来の移動ボードの上部構造及び棚板に設計変更を加えることなく、移動ボードの下部を確実に振れ止めしてスライド案内することができ、また支持部材を合成樹脂製で成形したので、取付板を棚板の前面に摺接するスライダーとして利用でき、それによりスムーズにスライドさせることができる。
【００１３】
請求項４によれば、前記支持レールに前記ガイドローラを転動可能に載支した状態で、前記移動ボードの上端裏面と前記棚板の前面との間隔より前記支持部材の取付板の厚さを薄く設定し、上下の移動ボードを横方向に引き違い可能としたので、上下に複数の移動ボードを設けた場合でも、上下の移動ボードが干渉されずに横方向スライド移動させることができるのである。
【発明を実施するための最良の形態】
【００１４】
次に、添付図面に示した実施形態に基づき、本発明を更に詳細に説明する。図１及び図２は本発明に係る移動ボード装置を採用した収納棚を示し、図３〜図７は本発明に係る移動ボード装置の詳細を示し、図中符号Ｂは移動ボード、１は支柱、２は机、３は脚体、４は脚取付部材、５は天板、６はブラケット、７は棚板、８は仕切部材、２８は支持レール、５２は吊支部材、５３はガイドローラ、５８は支持部材をそれぞれ示している。
【００１５】
本実施形態の収納棚は、図１及び図２に示すように、側方へ同一のユニットを継ぎ足して横幅の広い収納棚を構成する連増しタイプのものであり、複数の支柱１，…を同一間隔毎に立設し、それぞれ机２，…で支持し、具体的には各支柱１に脚体３を脚取付部材４にて取付け、隣接する脚体３，３間に天板５を取付けて机２を構成し、該机２の上方で前記支柱の所定高さ位置にはブラケット６を着脱自在に取付けるとともに、隣接するブラケット６，６に棚板７の両側部を載置するとともに、前後左右及び上下方向の移動を規制した状態で支持し、更に棚板７の側端部と隣接する棚板７，７の連設部に仕切部材８，…を取付けた構造を有している。そして、上下の前記棚板７，７を利用して移動ボードＢを横方向移動可能に装着するのである。勿論、本発明は単純に上下多段に棚板７，…を設けたオープン棚のような収納棚でも適用できるものである。
【００１６】
更に、隣接する支柱１，１の上端間には連結杆９を渡設するとともに、前記天板５の下方で両脚体３，３の後端部間又は支柱１，１間に幕板１０を取付けている。尚、図示しないが、前記天板５の上方で隣接する支柱１，１間に、オプションとしてバックパネルを取付けることも可能である。
【００１７】
本実施形態では支柱１，…の前後両側に机２，２を取付けて、当該支柱１，…を立起状態に支持しているが、前記机２は片側のみであっても構わない。更に、前記机２の代わりに側面視逆Ｔ字形の接地部材を下端に設けたものでもよい。また、本実施形態では、支柱１，…は全て同一形状のものであり、等間隔で立設し、前記天板５及び棚板７は同一横幅であり、その側端面の位置は支柱１の中心線と略一致している。また、前記机２を構成する脚体３は全て同一形状であり、端部に位置する脚体３は天板５の側端面よりも内側位置に取付けてあり、また中間部に位置する脚体３は隣接する天板５，５に跨るように、該脚体３の中心線が隣接する天板５，５の接合線と一致するように設定している。
【００１８】
更に詳しくは、図３及び図４に示すように、前記支柱１の前後両面には、その中心線に沿って一列に係止孔１１，…を所定間隔毎に形成し、前記ブラケット６の垂直な基板１２の後端に前記係止孔１１，…に嵌合係止するフック１３，…を突設している。前記係止孔１１の横幅は、前記ブラケット６の基板１２の厚さの２倍より若干広く設定し、中間部の棚板７，７を連設する部分において、同一の係止孔１１，…に二つのブラケット６，６のフック１３，…が同時に嵌合係止できるようにしている。本実施形態では、最上段の前記フック１３は側面視略Ｔ字形であり、中段の前記フック１３は下向きフックであり、最下段のフック１３は突起状である。尚、前記支柱１，１の代わりに、間仕切パネルの目地部に位置する縦枠又は支柱に設けた係止孔を利用してブラケット６を取付けることも可能である。
【００１９】
そして、前記ブラケット６によって棚板７を支持する概略構成は、以下のようである。前記棚板７は上面板１４の周囲を下方へ折曲した下方開放の偏平箱型構造であり、前記ブラケット６は基板１２の後端に前記フック１３，…を形成し、前記基板１２と前記棚板７の側端面を略面一の状態で該棚板７を左右方向の移動を規制して載置するとともに、前方又は後方への棚板７の移動によって該棚板７の上方への移動を規制する係合手段を備え、更に前記棚板７に装着する保持部材１５又は仕切部材８によって該棚板７の後方又は前方への復帰移動を規制するようにしている。
【００２０】
具体的には、前記棚板７は、図３及び図４に示すように、上面板１４の前後縁を下方へ折曲して前補強縁１６と後補強縁１７を形成するとともに、側縁を下方へ折曲して側端板１８と該側端板１８から内方へ折曲した下面板１９を形成し、該下面板１９の前後中間部に前後方向のスリット孔２０を形成するとともに、該下面板１９の前端部を切欠して開放部２１を形成し、更に前記上面板１４の下面の前部に断面略コ字形の横補強部材２２を横設するとともに、該横補強部材２２の側端部の後面に縦長の係合孔２３を形成している。更に、前記棚板７の後端縁には、前記後補強縁１７の外面側に当止部材２４を固着し、該当止部材２４は上面板１４より上方へ突出し、この突出部を当該棚板７に載置した書籍等の後当りとする。そして、前記当止部材２４の突出部は、上端を前側に折曲し、更にその前端を下方へ折曲して当止片２５とし、それにより上部に下方開放した凹溝部を形成した全体として前方開放の係合溝２６を形成している。また、前記棚板７の上面板１４の下面で前記前補強縁１６と間隔を開けてレール部材２７を横設し、前記前補強縁１６とレール部材２７とで略同形の断面形状の前後一対の支持レール２８，２８を形成している。
【００２１】
また、前記ブラケット６は、図３及び図４に示すように、前記基板１２の上縁に前記棚板７の下面板１９を載置する内向きに水平な受板２９を折曲形成するとともに、前端部に前記前補強縁１６の内面に当止し且つ前記上面板１４を載支する側面視略Ｚ字形の前受部３０を形成し、更に前記受板２９の前後中間部を切り起して前記スリット孔２０に嵌入する突片３１を形成するとともに、該突片３１の前端に前記スリット孔２０の前端内縁に係止する爪片３２を突設し、更に前記受板２９の内縁に前記棚板７の下面板１９の内縁を当止する規制板３３を立設するとともに、該規制板３３の前端に前記係合孔２３に嵌入する爪片３４を突設している。
【００２２】
そして、前記ブラケット６の受板２９と前受部３０にそれぞれ前記棚板７の下面板１９と上面板１４とを載置するとともに、前記突片３１をスリット孔２０に嵌入し、更に前記規制板３３を下面板１９の内縁に位置させ、それから前記棚板７を後方へ移動させて前記突片３１の爪片３２をスリット孔２０の前端内縁に係止すると同時に、前記規制板３３の爪片３４を前記横補強部材２２の係合孔２３に嵌入し、更に前受部３０を前補強縁１６の内面に当止した状態とし、それから前記開放部２１に対応する上面板１４の前隅部に形成した開口３５に上方から合成樹脂製の保持部材１５を嵌着して前記前受部３０の後部を当止し、それによりブラケット６に対して棚板７を前後左右及び上下方向の移動を規制した状態で支持するのである。ここで、前記開放部２１は、前記支持レール２８，２８の端部に位置し、また前記開口３５に嵌着した保持部材１５は、後方の支持レール２８の端部に位置している。また、前記開口３５は、前記上面板１４の側端まで延び、その外側には前記側端板１８のみが存在している。
【００２３】
ここで、前方又は後方への棚板７の移動によって該棚板７の上方への移動を規制する係合手段とは、前記スリット孔２０と前記突片３１の爪片３２及び前記係合孔２３と前記規制板３３の爪片３４との係合関係のことである。本実施形態では、前記棚板７を後方へ移動させることにより係合する構造を示したが、逆に前記棚板７を前方へ移動させることにより係合する構造でもよい。その場合には、前記保持部材１５で棚板７の後方移動を規制するのである。
【００２４】
更に詳しくは、前記ブラケット６は、強度を増すためと、正面から見たときの重厚性を出すために、前記基板１２の下縁で前端から後端部にかけて傾斜して下がった縁部を内方へ折曲して折曲板３６を形成し、前記前受部３０は当該折曲板３６の前端に連続して形成している。ここで、前記折曲板３６の横幅は、前記受板２９の横幅に略一致させている。また、前記ブラケット６の基板１２の後端上部には、上方へ延設した立上部３７を形成し、該立上部３７の内縁には前記受板２９に連続するが、該受板２９よりも幅が狭い補強片３８を折曲形成している。また、前記保持部材１５は、上端に鍔部３９を有するとともに、横方向一側に開放した横長の保持溝４０を形成している。
【００２５】
そして、前記仕切部材８は、図３及び図４に示すように、帯状の金属材料をその長手方向に直角な折曲線で折曲して側面視略三角形状に形成したものである。前記仕切部材８は、前下がりの傾斜部４１の前部に垂直な前脚部４２を折曲形成し、前記傾斜部４１の後部に水平な頂部４３を形成し、該頂部４３の後端に垂直な後脚部４４を折曲形成し、該後脚部４４の下端に後向きに直角に折曲形成した取付片４５に、前記係合溝２６に横方向スライド可能に係合する合成樹脂製の横長ブロック状の係合部材４６を固定したものである。そして、前記仕切部材８は、前記係合部材４６を前記係合溝２６の端部から挿入するとともに、前記開口３５に嵌着した前記保持部材１５の保持溝４０に上方から前脚部４２の下端を嵌挿して立起状態に保持する。尚、前記前脚部４２の下端部には、左右中央部に下向きに開放したスリット４７を形成している。
【００２６】
また、前記棚板７に載置した小物類が側方へ落下するのを防止するために、図３及び図４に示すように、落下防止部材４８を、前記係合溝２６を利用して棚板７の上面板１４の端部に装着している。前記落下防止部材４８は、断面略Ｌ字形の前後方向に延びた本体部４９と、該本体部４９の後端に内方へ平面視略Ｌ字状に屈曲した取付部５０を延設し、更に該取付部５０の後部に断面略ヘ字状に係合片５１を立ち上げ形成している。そして、前記落下防止部材４８の手前を落ち上げた傾斜状態で前記係合片５１を前記係合溝２６に前方から挿入した後、本体部４９を棚板７の上面板１４に載置することにより、前記係合片５１が係合溝２６に係止する。この状態で棚板７の側端まで落下防止部材４８をスライド移動させると、前記係合片５１が前記仕切部材８の係合部材４６に当止するので、側方へ抜け落ちることはないのである。ここで、前記落下防止部材４８の本体部４９は、前記仕切部材８の傾斜部４１の下方に収まり、該仕切部材８との一体感を呈するのである。つまり、前記仕切部材８の横幅と前記落下防止部材４８の本体部４９の横幅は略一致している。
【００２７】
また、中間部の支柱１においては、図６に示すように、隣接する前記棚板７，７がそれぞれ係止孔１１，…に嵌合形成したブラケット６，６にそれぞれ支持され、互いの側端板１８，１８が密接した状態となる。この棚板７，７を連設した状態では、前記開口３５，３５は間に側端板１８，１８を介して左右に並び、また後縁の各係合溝２６，２６は連続する。そこで、前記仕切部材８の後端の係合部材４６を両係合溝２６，２６に跨って係合する一方、前記各開口３５に外側方に、つまり棚板７，７の接合部側に前記保持溝４０の開放部を向けて保持部材１５を嵌着し、前記仕切部材８の前脚部４２の下端を、そのスリット４７内に前記側端板１８，１８を係合すると同時に、両保持部材１５，１５の保持溝４０，４０に嵌挿して取付ける。このように、隣接する棚板７，７の接合線上に共通の仕切部材８を取付けることにより、同時に両棚板７，７を前後左右方向のずれを防止して連結することができるのである。
【００２８】
そして、前記移動ボードＢは、図１、図３及び図７に示すように、前記棚板７の下面で前縁に沿って設けた支持レール２８，２８に、移動ボードＢの裏面の上端両側部に吊支部材５２，５２を介して設けたガイドローラ５３，５３を転動可能に載支するとともに、該移動ボードＢの下面下端を下段の棚板７の前端に当接するのである。尚、前記ガイドローラ５３の代わりにスライダーを用いることも可能である。ここで、前記移動ボードＢは、上下の棚板７，７の上下間隔に一致した上下高さを有するとともに、横幅を前記棚板７の横幅の１／２に設定している。
【００２９】
更に詳しくは、前記移動ボードＢは、スチール製の偏平パネル構造で、内部をインシュレーションボードを埋め、表面をクロス貼りとすることで、掲示板として利用できるようにしている。また、前記移動ボードＢは、掲示板の機能の他に、ホワイトボード、黒板、ピンナップボード、マグネット吸着ボード等の機能のものを使用することができる。
【００３０】
前記吊支部材５２は、前記移動ボードＢの裏面に固定する取付片５４から背面側へ直角に水平片５５を折曲形成するとともに、該水平片５５の左右中央部に幅の狭い立上片５６を形成するとともに、該立上片５６の上端から断面コ字形となるように該立上片５６と平行な垂下片５７を形成し、該立上片５６の上端部と垂下片５７の外側にそれぞれ同軸となしてガイドローラ５３，５３を一対設けている。そして、前記吊支部材５２は、前記移動ボードＢの裏面上端で両側部のやや中央寄り位置に固定している。そして、前記移動ボードＢの裏面の下端に設けた支持部材５８を下方の何れかの棚板７の下面前縁部に横方向スライド可能に係止している。
【００３１】
更に詳しくは、図４、図５及び図７に示すように、前記支持レール２８，２８は、前記吊支部材５２の立上片５６が通過する開口溝５９の両側に、前記立上片５６の前後両側に設けたガイドローラ５３，５３が転動可能なように前後一対設けられ、前記支持部材５８を前方の支持レール２８であって前記開口溝５９内の縁部に横方向スライド可能に係止している。具体的には、前記支持部材５８は、合成樹脂製で成形し、前記移動ボードＢの裏面の下端に取付ける取付板６０と、該取付板６０の下縁から後方へ断面略Ｌ字状に延設した係止片６１とからなり、前記取付板６０を、下方の棚板７の前補強縁１６の前面に摺接するとともに、前記係止片６１を前方の前記支持レール２８に横方向スライド可能に係止している。
【００３２】
前記移動ボードＢの裏面の下縁に沿って下補強部材６２を固着し、該下補強部材６２の左右両側部にそれぞれ支持部材５８，５８の取付板６０，６０を取付ける。それには、前記取付板６０の前面側の上下中央部に左右一対のダボ６３，６３を形成するとともに、上部に貫通した取付孔６４を形成し、それに応じて前記下補強部材６２の両側部に左右一対の係合孔６５，６５とその上方に下穴６６若しくは螺孔を形成し、前記取付板６０のダボ６３，６３を下補強部材６２の係合孔６５，６５に嵌入し、前記取付孔６４に通したネジ６７を下穴６６に螺合する。そして、前記支持部材５８の取付板６０は、下方の棚板７の前面に摺接するとともに、前記係止片６１は、前方の支持レール２８を構成する前補強縁１６の下端を包持するように前記開口溝５９内の縁部に係止するのである。尚、前方の支持レール２８は、一般的な棚板の前補強縁１６の構造と同じであるので、特に支持レールでなくても、一般的なステール製の棚板７の前縁部下面を利用して前記支持部材５８の係止片６１をスライド可能に係止することができる。
【００３３】
ここで、前記支持レール２８，２８に前記ガイドローラ５３，５３を転動可能に載支した状態で、前記移動ボードＢの上端裏面と前記棚板７の前面との間隔より前記支持部材５８の取付板６０の厚さを薄く設定し、上下の移動ボードＢ，Ｂを横方向に引き違い可能としている。
【００３４】
ここで、図３に示すように、前記支持レール２８の両端部で、前記棚板７の側端板１８との間に開放部２１を設けているので、該開放部２１から一端部の前記ガイドローラ５３，５３を前記支持レール２８，２８に挿入すると同時に、その下方の支持部材５８の係止片６１を下方の棚板７の前方支持レール２８に係止した後、前記移動ボードＢを横方向へ移動させ、それから他端部の前記ガイドローラ５３，５３を前記支持レール２８，２８に挿入すると同時に、その下方の支持部材５８の係止片６１を下方の棚板７の前方支持レール２８に係止し、その後、前記棚板７の上面板１４の前隅部に形成した前記開口３５に上方から嵌着した合成樹脂製の前記保持部材１５を嵌着し、該保持部材１５を前記支持レール２８の端部に位置させて、前記ガイドローラ５３を当止して外れ止めをするようにしている。
【００３５】
また、図８及び図９に示すように、前記ガイドローラ５３が前記保持部材１５に当止した状態で、該移動ボードＢの側部が棚板７より側方に突出するように設定している。この側方への突出長さをＤとすれば、該移動ボードＢを左右終端まで移動させた際に中央部に２Ｄの幅の収容空間が開放される。従って、この中央部に収容した書籍等も簡単に出し入れすることができる。
【００３６】
最後に、上下左右に隣接して移動ボードＢを４枚設けた実施形態において、該移動ボードＢ，…の配置を図２に基づいて簡単に説明する。図２に示した配置例では、４枚の移動ボードＢ，…が市松模様のような交互に位置した配置である。その他にも、上段の移動ボードＢ，Ｂは両側端部に位置させるとともに、下段の移動ボードＢ，Ｂは中央部に寄せて位置させたり、上下の移動ボードＢ，Ｂを同じ側端部に位置させたり、４枚の移動ボードＢ，…を中央部に互に接近させて密集して位置させたり、自由に配置させることが可能である。それにより、一枚の移動ボードＢを単独で使用するのみならず、複数の移動ボードＢ，…を一緒に使用して、広い面積の掲示物を掲示することも可能である。
【００３７】
尚、隣接する両移動ボードＢ，Ｂの近接状態を維持するために、互いの端部にマグネットキャッチ等の係着手段を設けることも好ましい。
【図面の簡単な説明】
【００３８】
【図１】本発明を適用した収納棚の全体側面図である。
【図２】４枚の移動ボードを有する第１配置例を示す収納棚の正面図である。
【図３】同じく要部の分解斜視図である。
【図４】支柱に棚板をブラケットにより取付けるとともに、仕切部材と落下防止部材を棚板に取付けた状態の部分断面図である。
【図５】本発明の要部を示す拡大断面図である。
【図６】移動ボードの斜視図である。
【図７】隣接する棚板の連設部に仕切部材を取付ける状態を示した部分斜視図である。
【図８】移動ボードのガイドローラと支持レール及び保持部材の位置関係を示す部分省略縦断正面図である。
【図９】移動ボードの移動範囲を示す説明用部分正面図である。
【符号の説明】
【００３９】
１  支柱、            ２  机、
３  脚体、            ４  脚取付部材、
５  天板、            ６  ブラケット、
７  棚板、            ８  仕切部材、
９  連結杆、          １０  幕板、
１１  係止孔、        １２  基板、
１３  フック、        １４  上面板、
１５  保持部材、      １６  前補強縁、
１７  後補強縁、      １８  側端板、
１９  下面板、        ２０  スリット孔、
２１  開放部、        ２２  横補強部材、
２３  係合孔、        ２４  当止部材、
２５  当止片、        ２６  係合溝、
２７  レール部材、    ２８  支持レール、
２９  受板、          ３０  前受部、
３１  突片、          ３２  爪片、
３３  規制板、        ３４  爪片、
３５  開口、          ３６  折曲板、
３７  立上部、        ３８  補強片、
３９  鍔部、          ４０  保持溝、
４１  傾斜部、        ４２  前脚部、
４３  頂部、          ４４  後脚部、
４５  取付片、        ４６  係合部材、
４７  スリット、      ４８  落下防止部材、
４９  本体部、        ５０  取付部、
５１  係合片、        ５２  吊支部材、
５３  ガイドローラ、  ５４  取付片、
５５  水平片、        ５６  立上片、
５７  垂下片、        ５８  支持部材、
５９  開口溝、        ６０  取付板、
６１  係止片、        ６２  下補強部材、
６３  ダボ、          ６４  取付孔、
６５  係合孔、        ６６  下穴、
６７  ネジ、
Ｂ  移動ボード。
【図１】
2008119395.tif 000003
【図２】
2008119395.tif 000004
【図３】
2008119395.tif 000005
【図４】
2008119395.tif 000006
【図５】
2008119395.tif 000007
【図６】
2008119395.tif 000008
【図７】
2008119395.tif 000009
【図８】
2008119395.tif 000010
【図９】
2008119395.tif 000011